(57)【特許請求の範囲】
【請求項１】
傾斜した法面に配置され、電磁波を吸収する電磁波吸収材料を含有する粒状の電磁波吸収体と、
前記法面に設けられ、前記電磁波吸収体を前記法面に固定する固定手段と、
を備え、
前記固定手段は、所定肉厚の網状に構成されかつ表面の目合いに比し裏面の目合いが大きくされて裏面から前記電磁波吸収体が挿入されると共に表面からの前記電磁波吸収体の通過を阻止する立体ネットである、ことを特徴とする電磁波吸収法面。
【請求項２】
傾斜した法面に配置され、電磁波を吸収する電磁波吸収材料を含有する粒状の電磁波吸収体と、
前記法面に設けられ、前記電磁波吸収体を前記法面に固定する固定手段と、
を備え、
前記固定手段は、前記電磁波吸収体を前記法面に接着する、ことを特徴とする電磁波吸収法面。
【請求項３】
前記電磁波吸収材料は電磁波を吸収すると発熱し、かつ、前記法面または前記法面上を根元にする植物を備えた、ことを特徴とする請求項１または請求項２記載の電磁波吸収法面。
【請求項４】
傾斜した法面に配置され、電磁波を吸収する電磁波吸収材料を含有する粒状の電磁波吸収体と、
前記法面に設けられ、前記電磁波吸収体を前記法面に固定する固定手段と、
を備え、
前記固定手段は、前記法面から突出して前記電磁波吸収体を係止する突出体であり、前記電磁波吸収材料は電磁波を吸収すると発熱し、かつ、前記法面または前記法面上を根元にする植物を備えた、ことを特徴とする電磁波吸収法面。
【請求項５】
前記植物の根元に吸水性及び保水性を有する保水材を配設した、ことを特徴とする請求項３または請求項４記載の電磁波吸収法面。
【請求項６】
前記電磁波吸収体と前記法面との間に設けられ、電磁波を反射する反射材を備えた、ことを特徴とする請求項１乃至請求項５の何れか１項記載の電磁波吸収法面。
【請求項７】
傾斜した法面に配置され、電磁波を吸収する電磁波吸収材料を含有する粒状の電磁波吸収体と、
前記法面に設けられ、前記電磁波吸収体を前記法面に固定する固定手段と、
を備え、
前記固定手段は、前記法面から突出して前記電磁波吸収体を係止する突出体であり、かつ、前記電磁波吸収体と前記法面との間に設けられ、電磁波を反射する反射材を備えた、ことを特徴とする電磁波吸収法面。
【請求項８】
電磁波を吸収する板状の電磁波吸収材と、
植物がマット状に密生された植生マットと、
前記植生マットを前記電磁波吸収材に固定するマット固定手段と、
を備えた電磁波吸収緑化パネル。
【請求項９】
前記マット固定手段は、網状とされ、前記植生マットを前記電磁波吸収材側へ押え付ける押付網である、ことを特徴とする請求項８記載の電磁波吸収緑化パネル。
【請求項１０】
前記マット固定手段は、前記植生マットの裏面を前記電磁波吸収部材に接着する、ことを特徴とする請求項８または請求項９記載の電磁波吸収緑化パネル。
【請求項１１】
前記マット固定手段は、前記電磁波吸収材に突出して設けられ、前記植生マットを係止する係止体である、ことを特徴とする請求項８乃至請求項１０の何れか１項記載の電磁波吸収緑化パネル。
【請求項１２】
前記電磁波吸収材は電磁波を吸収すると発熱する、ことを特徴とする請求項８乃至請求項１１の何れか１項記載の電磁波吸収緑化パネル。
【請求項１３】
前記電磁波吸収材の裏面側に設けられ、電磁波を反射する反射材を備えた、ことを特徴とする請求項８乃至請求項１２の何れか１項記載の電磁波吸収緑化パネル。
【発明の詳細な説明】
【０００１】
【発明の属する技術分野】
本発明は、電磁波吸収機能を有する法面たる電磁波吸収法面及び電磁波吸収部材に植生マットが固定された電磁波吸収緑化パネルに関する。
【０００２】
【従来の技術】
有料道路では、所謂インテリジェント交通システム（ＩＴＳ）における有料道路の自動料金収受システム（ＥＴＣ）や道路上を走行する自動車の走行支援システム（ＡＨＳ）等によって高度情報化がすすめられつつあるが、このようなシステムでは、電磁波の交信が激しく行われる。
【０００３】
一般に、有料道路には傾斜した法面や垂直な壁面が多く存在するため、この法面や壁面が反射（乱反射）した電磁波によって、上記システムが悪影響を受けて誤作動を発生し易い環境となっている。特に、高速で移動する車両において上記システムが誤作動を発生することは好ましくない。このため、これらの法面や壁面が電磁波を反射することを防止できることが望まれている。
【０００４】
さらに、これらの法面や壁面を緑化できることも望まれており、特に、有料道路の近くには、コンクリートによる擁壁が施されている場合が殆どであり、この擁壁を緑化して良好な景観を形成できることが好ましい。
【０００５】
また、建築物（特に高層建築物）や土木構造物の壁面や屋根が電磁波を反射することによる電磁波障害に対しても早急な対策が求められており、現在、電磁波を吸収して電磁波の反射を防止できる各種の壁面素材や屋根素材が開発されている。しかしながら、これらの壁面素材や屋根素材を緑化することはできない。
【０００６】
【発明が解決しようとする課題】
本発明は、上記事実を考慮し、法面に電磁波反射防止機能を付与できる電磁波吸収法面、または、電磁波吸収機能及び緑化機能を有する電磁波吸収緑化パネルを得ることが目的である。
【０００７】
【課題を解決するための手段】
請求項１に記載の電磁波吸収法面は、傾斜した法面に配置され、電磁波を吸収する電磁波吸収材料を含有する粒状の電磁波吸収体と、前記法面に設けられ、前記電磁波吸収体を前記法面に固定する固定手段と、を備え、前記固定手段は、所定肉厚の網状に構成されかつ表面の目合いに比し裏面の目合いが大きくされて裏面から前記電磁波吸収体が挿入されると共に表面からの前記電磁波吸収体の通過を阻止する立体ネットである、ことを特徴としている。
【０００８】
請求項１に記載の電磁波吸収法面では、傾斜した法面に配置された粒状の電磁波吸収体が法面に設けられた固定手段によって法面に固定されることで、電磁波吸収体が法面を落下することが防止されている。
【０００９】
このため、法面に電磁波が到来した際には、電磁波吸収体内の電磁波吸収材料が電磁波を吸収し、これにより、法面に電磁波反射防止機能を付与することができる。
さらに、固定手段たる立体ネットが、所定肉厚の網状に構成されかつ表面の目合いに比し裏面の目合いが大きくされて、裏面から電磁波吸収体が挿入されると共に表面からの電磁波吸収体の通過を阻止することで、法面に電磁波吸収体が固定されている。これにより、電磁波吸収体を法面に容易に固定することができる。
【００１０】
請求項２に記載の電磁波吸収法面は、傾斜した法面に配置され、電磁波を吸収する電磁波吸収材料を含有する粒状の電磁波吸収体と、前記法面に設けられ、前記電磁波吸収体を前記法面に固定する固定手段と、を備え、前記固定手段は、前記電磁波吸収体を前記法面に接着する、ことを特徴としている。
【００１１】
請求項２に記載の電磁波吸収法面では、傾斜した法面に配置された粒状の電磁波吸収体が法面に設けられた固定手段によって法面に固定されることで、電磁波吸収体が法面を落下することが防止されている。
このため、法面に電磁波が到来した際には、電磁波吸収体内の電磁波吸収材料が電磁波を吸収し、これにより、法面に電磁波反射防止機能を付与することができる。
さらに、固定手段が電磁波吸収体を法面に接着することで、法面に電磁波吸収体が固定されている。これにより、電磁波吸収体を法面に容易に固定することができる。
【００１２】
請求項３に記載の電磁波吸収法面は、請求項１または請求項２に記載の電磁波吸収法面において、前記電磁波吸収材料は電磁波を吸収すると発熱し、かつ、前記法面または前記法面上を根元にする植物を備えた、ことを特徴としている。
【００１３】
請求項３に記載の電磁波吸収法面では、電磁波吸収体内の電磁波吸収材料が電磁波を吸収すると発熱するため、植物の根元が加温され、これにより、植物の育成を促進することができる。
さらに、植物が法面または法面上を根元にするため、植物は固定手段の表面側へ伸張する。これにより、植物が固定手段に係止されることで、植物が風や雨等により法面から剥落することを防止できる。
【００１４】
請求項４に記載の電磁波吸収法面は、傾斜した法面に配置され、電磁波を吸収する電磁波吸収材料を含有する粒状の電磁波吸収体と、前記法面に設けられ、前記電磁波吸収体を前記法面に固定する固定手段と、を備え、前記固定手段は、前記法面から突出して前記電磁波吸収体を係止する突出体であり、前記電磁波吸収材料は電磁波を吸収すると発熱し、かつ、前記法面または前記法面上を根元にする植物を備えた、ことを特徴としている。
【００１５】
請求項４に記載の電磁波吸収法面では、傾斜した法面に配置された粒状の電磁波吸収体が法面に設けられた固定手段によって法面に固定されることで、電磁波吸収体が法面を落下することが防止されている。
このため、法面に電磁波が到来した際には、電磁波吸収体内の電磁波吸収材料が電磁波を吸収し、これにより、法面に電磁波反射防止機能を付与することができる。
さらに、固定手段たる突出体が、法面から突出して電磁波吸収体を係止することで、法面に電磁波吸収体が固定されている。これにより、電磁波吸収体を法面に容易に固定することができる。
また、電磁波吸収体内の電磁波吸収材料が電磁波を吸収すると発熱するため、植物の根元が加温され、これにより、植物の育成を促進することができる。
さらに、植物が法面または法面上を根元にするため、植物は固定手段の表面側へ伸張する。これにより、植物が固定手段に係止されることで、植物が風や雨等により法面から剥落することを防止できる。
【００１６】
請求項５に記載の電磁波吸収法面は、請求項３または請求項４に記載の電磁波吸収法面において、前記植物の根元に吸水性及び保水性を有する保水材を配設した、ことを特徴としている。
【００１７】
請求項５に記載の電磁波吸収法面では、吸水性及び保水性を有する保水材が植物の根元に配設されているため、植物に水分を安定供給することができ、これにより、植物の育成を一層促進することができる。
【００１９】
請求項６に記載の電磁波吸収法面は、請求項１乃至請求項５の何れか１項に記載の電磁波吸収法面において、前記電磁波吸収体と前記法面との間に設けられ、電磁波を反射する反射材を備えた、ことを特徴としている。
【００２０】
請求項６に記載の電磁波吸収法面では、電磁波吸収体と法面との間に設けられた反射材が電磁波を反射するため、電磁波吸収体を透過等して反射材に到達した電磁波が再度電磁波吸収体へ向けて反射される。このため、電磁波吸収体の電磁波吸収効率を向上できる。
【００２１】
請求項７に記載の電磁波吸収法面は、傾斜した法面に配置され、電磁波を吸収する電磁波吸収材料を含有する粒状の電磁波吸収体と、前記法面に設けられ、前記電磁波吸収体を前記法面に固定する固定手段と、を備え、前記固定手段は、前記法面から突出して前記電磁波吸収体を係止する突出体であり、かつ、前記電磁波吸収体と前記法面との間に設けられ、電磁波を反射する反射材を備えた、ことを特徴としている。
【００２２】
請求項７に記載の電磁波吸収法面では、傾斜した法面に配置された粒状の電磁波吸収体が法面に設けられた固定手段によって法面に固定されることで、電磁波吸収体が法面を落下することが防止されている。
このため、法面に電磁波が到来した際には、電磁波吸収体内の電磁波吸収材料が電磁波を吸収し、これにより、法面に電磁波反射防止機能を付与することができる。
さらに、固定手段たる突出体が、法面から突出して電磁波吸収体を係止することで、法面に電磁波吸収体が固定されている。これにより、電磁波吸収体を法面に容易に固定することができる。
また、電磁波吸収体と法面との間に設けられた反射材が電磁波を反射するため、電磁波吸収体を透過等して反射材に到達した電磁波が再度電磁波吸収体へ向けて反射される。このため、電磁波吸収体の電磁波吸収効率を向上できる。
【００２３】
請求項８に記載の電磁波吸収緑化パネルは、電磁波を吸収する板状の電磁波吸収材と、植物がマット状に密生された植生マットと、前記植生マットを前記電磁波吸収材に固定するマット固定手段と、を備えている。
【００２４】
請求項８に記載の電磁波吸収緑化パネルでは、電磁波を吸収する板状の電磁波吸収材と、植物がマット状に密生された植生マットと、を備えており、マット固定手段によって植生マットが電磁波吸収材に固定されている。このため、電磁波吸収機能及び緑化機能を有することができる。
【００２５】
請求項９に記載の電磁波吸収緑化パネルは、請求項８に記載の電磁波吸収緑化パネルにおいて、前記マット固定手段は、網状とされ、前記植生マットを前記電磁波吸収材側へ押え付ける押付網である、ことを特徴としている。
【００２６】
請求項９に記載の電磁波吸収緑化パネルでは、マット固定手段としての網状の押付網が植生マットを電磁波吸収材側へ押え付けるため、植生マットを電磁波吸収材に強固に固定できる。
【００２７】
請求項１０に記載の電磁波吸収緑化パネルは、請求項８または請求項９に記載の電磁波吸収緑化パネルにおいて、前記マット固定手段は、前記植生マットの裏面を前記電磁波吸収部材に接着する、ことを特徴としている。
【００２８】
請求項１０に記載の電磁波吸収緑化パネルでは、マット固定手段として植生マットの裏面が電磁波吸収部材に接着されるため、植生マットを電磁波吸収材に強固に固定できる。
【００２９】
請求項１１に記載の電磁波吸収緑化パネルは、請求項８乃至請求項１０の何れか１項に記載の電磁波吸収緑化パネルにおいて、前記マット固定手段は、前記電磁波吸収材に突出して設けられ、前記植生マットを係止する係止体である、ことを特徴としている。
【００３０】
請求項１１に記載の電磁波吸収緑化パネルでは、マット固定手段として電磁波吸収材に突出して設けられた係止体に植生マットが係止されるため、植生マットを電磁波吸収材に強固に固定できる。
【００３１】
請求項１２に記載の電磁波吸収緑化パネルは、請求項８乃至請求項１１の何れか１項に記載の電磁波吸収緑化パネルにおいて、前記電磁波吸収材は電磁波を吸収すると発熱する、ことを特徴としている。
【００３２】
請求項１２に記載の電磁波吸収緑化パネルでは、電磁波吸収材が電磁波を吸収すると発熱するため、植生マットの植物の根元が加温され、これにより、植物の育成を促進することができる。
【００３３】
請求項１３に記載の電磁波吸収緑化パネルは、請求項８乃至請求項１２の何れか１項に記載の電磁波吸収緑化パネルにおいて、前記電磁波吸収材の裏面側に設けられ、電磁波を反射する反射材を備えた、ことを特徴としている。
【００３４】
請求項１３に記載の電磁波吸収緑化パネルでは、電磁波吸収材の裏面側に設けられた反射材が電磁波を反射するため、電磁波吸収材を透過して反射材に到達した電磁波が再度電磁波吸収材へ向けて反射される。このため、電磁波吸収材の電磁波吸収効率を向上できる。
【００３５】
【発明の実施の形態】
［第１の実施の形態］
図１には、本発明の第１の実施の形態に係る電磁波吸収法面としての電磁波吸収発熱法面１０が表面側から見た斜視図にて示されている。
【００３６】
本実施の形態に係る電磁波吸収発熱法面１０は、立体ネット１２を備えており、立体ネット１２は傾斜した法面２８上に杭等によって設けられている。立体ネット１２は、ポリプロピレンまたはナイロン等の化学繊維や毛糸等の天然繊維によって所定肉厚の網状に構成されており、表面の目合いに比し裏面の目合いが大きくされている。本実施の形態では、立体ネット１２は、肉厚が１０ｍｍから２０ｍｍとされると共に、表面の目合いが横３ｍｍで縦６ｍｍとされる一方裏面の目合いが横１５ｍｍで縦２０ｍｍとされている。
【００３７】
図２に示す如く、立体ネット１２内には、後に詳細に説明する電磁波吸収体としての電磁波吸収発熱体１４が収容されている。電磁波吸収発熱体１４は、立体ネット１２表面の目合いの大きさより大きくされる一方立体ネット１２裏面の目合いの大きさより小さくされており、これにより、電磁波吸収発熱体１４は立体ネット１２に裏面から挿入されると共に、電磁波吸収発熱体１４が立体ネット１２の表面を通過することが阻止されている。なお、電磁波吸収発熱体１４は、立体ネット１２裏面の網目（桝目）毎に複数収容されるのが好ましい。
【００３８】
立体ネット１２の裏面は、保水材としての不織布１６に被覆されており、不織布１６が法面２８に接触している。不織布１６は、化学繊維または天然繊維により構成されており、吸水性及び高保水性を有している。本実施の形態では、不織布１６の厚みは、３ｍｍから３０ｍｍ程度とされている。
【００３９】
不織布１６には、図３に示す植物としてのコケ類１８（例えばスナゴケ）の子実体や胞子体が、保水材としてのポリマー（図示省略）と共に縫い付けられている。このため、コケ類１８が育成されると、コケ類１８は不織布１６（法面２８上）や法面２８を根元とする。また、ポリマーは、高吸水性及び保水性を有しており、本実施の形態では、例えばＮＶＡ（Ｎ−ビニルアセトアミド）の架橋体で、非イオン性で広範囲のｐＨ領域で安定的な給水倍率を示すもの（例えば昭和電工株式会社の商品名ＮＡ−０１０等）とされている。
【００４０】
またここで、図４には、上記電磁波吸収発熱体１４が斜視図にて示されており、図５には、電磁波吸収発熱体１４が断面図にて示されている。
【００４１】
電磁波吸収発熱体１４は略卵形の粒状とされており、電磁波吸収発熱体１４の内部には、円柱状（直方体状等でもよい）の心材２０が配設されている。本実施の形態では、心材２０は、例えば人工軽量骨材、砕石、または石炭灰やガラス粉体を原料とした多孔質材料等とされており、心材２０はおよそ、最大直径が２ｍｍで最大長さが５ｍｍ、または、最大直径が５ｍｍで最大長さが１０ｍｍ等とされている。
【００４２】
心材２０は、被覆固体２２に被覆されており、これにより、電磁波吸収発熱体１４が構成されている。図６に詳細に示す如く、被覆固体２２は、被混入固体２４に電磁波吸収材料としての電磁波吸収発熱材料２６が分散混入された構成とされている。
【００４３】
被混入固体２４は、液体状の被混入溶液を固化処理（加熱処理（焼成処理を含む）や溶媒の気化処理等）することにより生成されるものであり、耐熱性を有している。このため、後述の如く電磁波吸収発熱体１４（電磁波吸収発熱材料２６）が発熱した際でも、電磁波吸収発熱体１４（被混入固体２４）が劣化することを防止できる。ここで、被混入溶液に電磁波吸収発熱材料２６が分散混入された被覆溶液を心材２０に被覆して粒状の中間粒状体を形成し、その後、この中間粒状体の被混入溶液を固化処理することで、被混入溶液が被混入固体２４に変化されて（被覆溶液が被覆固体２２に変化されて）電磁波吸収発熱体１４が製造される。
【００４４】
本実施の形態では、被混入溶液として、例えばポリイミド樹脂、ポリアミドイミド樹脂、ポリエーテルスルホン樹脂、ポリエステルイミド樹脂、ポリエーテルイミド樹脂、ポリイミダゾピロロン樹脂、ビスマレイミド樹脂等の溶液、または、これらの樹脂の前駆体溶液が使用されている。
【００４５】
電磁波吸収発熱材料２６は、電磁波を吸収すると発熱する性質を有する。電磁波吸収発熱材料２６は高導電性を有しており、これにより、電磁波吸収発熱体１４の電磁波吸収発熱性能を良好にすることができる。さらに、電磁波吸収発熱材料２６は、酸化処理するとより好ましく、これにより、特にポリイミド樹脂前駆体溶液の如く被混入溶液が、電磁波吸収発熱材料２６の酸化度が高いほど電磁波吸収発熱材料２６の分散性が良好になる性質を有する場合に、被混入溶液に電磁波吸収発熱材料２６を良好に分散することができる。
【００４６】
本実施の形態では、電磁波吸収発熱材料２６は、特に制限がなく、例えば、カーボンファイバー、カーボン含有繊維、ニードルカーボン、フェライト、メタルファイバー等の導電性繊維等であり、電磁波吸収発熱材料２６の長さは心材２０に対応して０．０１ｍｍから２０ｍｍ程度（例えば５ｍｍ）とされると共に、電磁波吸収発熱材料２６の太さは５μｍ程度とされている。さらに、電磁波吸収発熱材料２６は、被混入固体２４に対する重量比で０．０１％から１．０％程度（例えば０．０１％）になるように被混入溶液に混入されている。
【００４７】
被混入溶液中に電磁波吸収発熱材料２６を分散する際には、偏心ローター等のコンディショニングミキサー等で被混入溶液を攪拌することで、電磁波吸収発熱材料２６の破損（折損を含む）が防止されつつ被混入溶液中に電磁波吸収発熱材料２６が充分（均一）に分散される。なお、偏心ローター等のコンディショニングミキサー等を使用しなくても、被混入溶液に電磁波吸収発熱材料２６を破損（折損）しないように充分に分散できるものであれば他の攪拌機等を使用してもよい。
【００４８】
被混入溶液に電磁波吸収発熱材料２６を分散混入する際には、被混入溶液が粘性の低い温度に調温される。例えば、被混入溶液がポリイミド樹脂前駆体溶液である場合には、３０℃から９０℃に調温されることが好ましく、また、３０℃から６０℃に調温されることがより好ましい。これにより、被混入溶液に電磁波吸収発熱材料２６を一層良好に分散することができる。
【００４９】
心材２０に被覆溶液を被覆する際には、心材２０表面を被覆溶液が厚み例えば２０μｍから３０μｍで被覆するように、心材２０表面積から算出した量の被覆溶液のペースト内に心材２０を大量に投入して、充分に攪拌する。これにより、各心材２０に被覆溶液が被覆されて大量の中間粒状体が一度に製造されることで、大量の中間粒状体を効率的に製造することができる。しかも、心材２０の全面に被覆溶液を洩れなく均等に被覆できると共に、被混入溶液への電磁波吸収発熱材料２６の分散が補助されて被混入溶液に電磁波吸収発熱材料２６を更に一層良好に分散することができる。
【００５０】
中間粒状体の被混入溶液を固化処理する前、例えば被覆溶液を心材２０に被覆した直後には、皮膜形成用溶媒が入った液槽内に中間粒状体を攪拌しながら徐々に浸漬することで、中間粒状体に物理的な力が作用されつつ中間粒状体（被混入溶液）に皮膜形成用溶媒が付着される。この皮膜形成用溶媒は、被混入溶液の溶質に対する溶解度が低くかつ被混入溶液の溶媒に対する溶解度が高い溶媒であり、これにより、中間粒状体の表面に被混入溶液の溶質が析出されて皮膜が形成される。このため、一度に大量の中間粒状体の被混入溶液を固化処理する際でも、中間粒状体（被混入溶液）同士が固着することを防止できる。
【００５１】
被混入溶液がポリイミド樹脂前駆体溶液である場合には、皮膜形成用溶媒は、特に制限がなく、例えば、エタノール、メタノール、イソプロピルアルコール等のアルコール類や、ヘキサン、塩化エチレン、１−ブタノール等の低沸点有機溶媒等であり、また、これらを併用することもできる。またこの場合、ポリイミド樹脂前駆体溶液に皮膜形成用溶媒を付着することで、中間粒状体の表面にポリイミド樹脂前駆体であるポリアミド酸が析出されてポリアミド酸皮膜が形成される。
【００５２】
被混入溶液がポリイミド樹脂前駆体溶液である場合に、中間粒状体のポリイミド樹脂前駆体溶液を固化処理する際には、例えば上記皮膜形成用溶媒が入った液槽から取り出した中間粒状体を８０℃から１２０℃程度に加熱することで、中間粒状体表面のポリアミド酸皮膜を乾燥させた後に、中間粒状体の加熱温度を３００℃程度まで段階的に上げていく（例えば中間粒状体を１２０℃で６０分加熱してポリアミド酸皮膜を乾燥させた後に中間粒状体を２００℃で１０分、２５０℃で６０分、３００℃で３０分この順序で加熱する）ことで、ポリイミド樹脂前駆体をイミド転化させて（ポリイミド樹脂にして）固化させた構成である。
【００５３】
次に、本実施の形態の作用を説明する。
【００５４】
以上の構成の電磁波吸収発熱法面１０では、傾斜した法面２８に配置された粒状の電磁波吸収発熱体１４が法面２８に設けられた立体ネット１２によって法面２８に固定されることで、電磁波吸収発熱体１４が法面２８を落下することが防止されている。
【００５５】
このため、法面２８に電磁波が到来した際には、電磁波吸収発熱体１４内の電磁波吸収発熱材料２６が電磁波を吸収し、これにより、法面２８に電磁波反射防止機能を付与することができる。
【００５６】
また、立体ネット１２が、所定肉厚の網状に構成されかつ表面の目合いに比し裏面の目合いが大きくされて、裏面から電磁波吸収発熱体１４が挿入されると共に表面からの電磁波吸収発熱体１４の通過を阻止することで、法面２８に電磁波吸収発熱体１４が固定されている。これにより、電磁波吸収発熱体１４を法面２８に容易に固定することができる。
【００５７】
さらに、不織布１６が立体ネット１２の裏面を被覆しているため、立体ネット１２の運搬時や法面２８への設置時等に、立体ネット１２の裏面側から電磁波吸収発熱体１４やコケ類１８（植物の苗等）が脱落することを防止できる。
【００５８】
さらにここで、電磁波吸収発熱体１４内の電磁波吸収発熱材料２６が電磁波を吸収すると発熱するため、コケ類１８の根元が加温され、これにより、コケ類１８の育成を促進することができる。
【００５９】
また、吸水性及び保水性を有するポリマー及び不織布１６がコケ類１８の根元に配設されているため、コケ類１８に水分を安定供給することができ、これにより、コケ類１８の育成を一層促進することができる。
【００６０】
さらに、コケ類１８が法面２８や法面２８上を根元にするため、コケ類１８は立体ネット１２の表面側へ伸張する。これにより、コケ類１８が立体ネット１２に係止されることで、コケ類１８が風や雨等により法面２８から剥落することを防止できる。
【００６１】
また、立体ネット１２の裏面側に不織布１６が配置されているため、コケ類１８が不織布１６に根を張る。これにより、コケ類１８が不織布１６に係止されることで、コケ類１８が風や雨等により法面２８から剥落することを一層防止できる。
【００６２】
したがって、本実施の形態に係る電磁波吸収発熱法面１０を有料道路の傾斜した法面２８（例えば３分勾配から５分勾配のコンクリートによる擁壁）に適用することで、インテリジェント交通システム（ＩＴＳ）における有料道路の自動料金収受システム（ＥＴＣ）や道路上を走行する自動車の走行支援システム（ＡＨＳ）等が誤作動を発生することを効率的に防止できると同時に、法面２８を緑化して良好な景観を形成できる（法面２８に高付加価値を付与できる）。
【００６３】
さらに、本実施の形態に係る電磁波吸収発熱法面１０を建築物（特に高層建築物）や土木構造物の傾斜した法面２８（例えば屋根）に設置することで、この法面２８による電磁波の反射を効率的に防止できると同時に、この法面２８を緑化して省エネルギー効果を得ることができる。
【００６４】
さらにまた、苗木や樹木がある既存の法面２８でも、立体ネット１２（不織布１６等を含む）を苗木や樹木が存在する部分において切り抜くことで、本実施の形態に係る電磁波吸収発熱法面１０を適用可能である。
【００６５】
さらに、法面２８（屋根や擁壁を含む）が曲面である場合でも、この曲面に対応して立体ネット１２（固定手段であり不織布１６等を含む）を湾曲させることで、本実施の形態に係る電磁波吸収発熱法面１０を適用可能である。
【００６６】
なお、本実施の形態では、立体ネット１２によって電磁波吸収発熱体１４を傾斜した法面２８に固定した構成としたが、立体ネットによって電磁波吸収発熱体を垂直な壁面に固定した構成としてもよい。
【００６７】
［第２の実施の形態］
図７には、本発明の第２の実施の形態に係る電磁波吸収法面としての電磁波吸収発熱法面３０が側面図にて示されている。
【００６８】
本実施の形態に係る電磁波吸収発熱法面３０では、法面２８に突出体としての柵３２が垂直に突出して設けられており、この柵３２内には電磁波吸収発熱体１４が入れられている。これにより、柵３２が電磁波吸収発熱体１４を係止することで、法面２８に電磁波吸収発熱体１４が固定された構成である。
【００６９】
ここで、本実施の形態に係る電磁波吸収発熱法面３０でも、上記第１の実施の形態に係る電磁波吸収発熱法面１０と同様の効果を得ることができる。
【００７０】
また、本実施の形態に係る電磁波吸収発熱法面３０も、苗木や樹木がある既存の法面２８や曲面の法面２８に適用することができる。
【００７１】
なお、本実施の形態では、突出体を柵３２とした構成としたが、突出体を芝生等の植物やブラシ状のブラシ体とした構成としてもよい。
【００７２】
さらに、本実施の形態においても、上記第１の実施の形態と同様のポリマーや不織布１６（コケ類１８を含んでもよい）を法面２８上に設置した構成としてもよい。
【００７３】
［第３の実施の形態］
図８には、本発明の第３の実施の形態に係る電磁波吸収法面としての電磁波吸収発熱法面４０が側面図にて示されている。
【００７４】
本実施の形態に係る電磁波吸収発熱法面４０では、客土４２に電磁波吸収発熱体１４及び固定手段としての土粒子接着剤（図示省略）を入れてこれを適量の水分と共に法面２８に吹き付けた後に固化させることで、客土４２及び電磁波吸収発熱体１４等の層が例えば厚さ３ｃｍから５ｃｍで法面２８に接着固定されている。これにより、法面２８に電磁波吸収発熱体１４が固定された構成である。
【００７５】
ここで、本実施の形態に係る電磁波吸収発熱法面４０でも、上記第１の実施の形態に係る電磁波吸収発熱法面１０と同様の効果を得ることができる。
【００７６】
また、本実施の形態に係る電磁波吸収発熱法面４０も、苗木や樹木がある既存の法面２８や曲面の法面２８に適用することができる。
【００７７】
なお、本実施の形態では、電磁波吸収発熱体１４を傾斜した法面２８に接着固定した構成としたが、電磁波吸収発熱体を垂直な壁面に接着固定した構成としてもよい。
【００７８】
さらに、本実施の形態においても、上記第１の実施の形態と同様のポリマーや不織布１６（コケ類１８を含んでもよい）を法面２８や壁面上に設置した構成としてもよい。
【００７９】
また、上記第１の実施の形態、第２の実施の形態及び第３の実施の形態において、法面または壁面と電磁波吸収発熱体との間（第１の実施の形態では例えば立体ネットと不織布との間、第２の実施の形態及び第３の実施の形態では例えば法面または壁面の表面）に、電磁波を反射する反射材（例えば金網、パンチングメタル、メッシュ箔及び金属板等）を設けた構成としてもよい。この場合、電磁波吸収発熱体を透過等して反射材に到来した電磁波が再度電磁波吸収発熱体へ向けて反射されるため、電磁波吸収発熱体の電磁波吸収効率及び発熱効率を向上できる。
【００８０】
［第４の実施の形態］
図９には、本発明の第４の実施の形態に係る電磁波吸収緑化パネル５０が分解斜視図にて示されている。
【００８１】
本実施の形態に係る電磁波吸収緑化パネル５０は、植生マット５２を備えている。植生マット５２は、上記第１の実施の形態における立体ネット１２等の立体ネット（上記第１の実施の形態におけるポリマーや不織布１６を含んでもよい）内に、乾燥に強い植物５４（例えばスナゴケやハイゴケ等のコケ類やセダム類の植物）がマット状に密生された構成とされている。
【００８２】
植生マット５２は、上面が開口した箱状の収納箱５６に収納されており、収納箱５６の底壁は、電磁波吸収材としての電磁波吸収発熱材５８とされている。電磁波吸収発熱材５８は、上記第１の実施の形態と同様の電磁波吸収発熱材料２６（特に、カーボンファイバー、メタルファイバー及びフェライト等の導電性物質（粉状の物質を含む）等）が樹脂等で板状（面状）に固定された構成とされており、このため、電磁波吸収発熱材５８は、電磁波を吸収すると発熱する性質を有している。
【００８３】
電磁波吸収発熱材５８の背面には、反射材（図示省略）が設けられている。反射材は、後述の如く電磁波吸収緑化パネル５０に到来する電磁波の波長より小さい孔（間隔）を有する金属メッシュ、パンチングメタル、メッシュ箔、金属板及び電磁波を反射する素材でできた繊維からなるシート等とされており、反射材は電磁波を反射する性質を有している。
【００８４】
植生マット５２は、マット固定手段としての網状の押付網６０（例えばメッシュ筋）によって、表側から電磁波吸収発熱材５８側へ押え付けられており、これにより、植生マット５２が電磁波吸収発熱材５８に裏面が接触した状態で固定されている。押付網６０は、金属製、化学繊維製または天然繊維製等とされている。但し、押付網６０が金属製である場合には、電磁波吸収緑化パネル５０に到来する電磁波の波長より大きい孔（例えば縦５０ｍｍ横５０ｍｍ以上の孔（間隔）であって大きい孔であるほどよい）を有するものが使用され、これにより、押付網６０が電磁波を反射することが防止される。なお、押付網６０には、できれば金属製のものを使用しないのが望ましい。
【００８５】
また、電磁波吸収緑化パネル５０は、縦９００ｍｍ横９００ｍｍ厚さ２０ｍｍや、縦１８００ｍｍ横９００ｍｍ厚さ２０ｍｍ等のモジュールで製作されており、図１０の（Ａ）または（Ｂ）に示す如く、所定数の電磁波吸収緑化パネル５０が、垂直な壁面や傾斜した法面等の設置面（図示省略）に設けられる設置枠６２による係止等によって、設置面に設置される構成である。
【００８６】
次に、本実施の形態の作用を説明する。
【００８７】
以上の構成の電磁波吸収緑化パネル５０では、電磁波を吸収する板状の電磁波吸収発熱材５８と、植物５４がマット状に密生された植生マット５２と、を備えており、網状の押付網６０によって植生マット５２を電磁波吸収発熱材５８側へ押え付けることで、植生マット５２を電磁波吸収発熱材５８に強固に固定することができる。このため、電磁波吸収機能及び緑化機能を有することができる。
【００８８】
さらに、植生マット５２が収納箱５６が収納されているため、植生マット５２を電磁波吸収発熱材５８に一層強固に固定することができる。
【００８９】
ここで、電磁波吸収緑化パネル５０が設置面に設置されると、電磁波吸収緑化パネル５０に到来する電磁波が電磁波吸収発熱材５８に吸収され、これにより、設置面に電磁波反射防止機能を付与することができる。しかも、同時に、植生マット５２によって設置面を緑化することができる。
【００９０】
さらに、電磁波吸収発熱材５８が電磁波を吸収すると発熱するため、植生マット５２の植物５４の根元が加温され、これにより、植物５４の育成を促進することができる。
【００９１】
また、電磁波吸収発熱材５８の背面に設けられた反射材が電磁波を反射するため、電磁波吸収発熱材５８を透過して反射材に到来した電磁波が再度電磁波吸収発熱材５８へ向けて反射される。このため、電磁波吸収発熱材５８の電磁波吸収効率及び発熱効率を向上できる。
【００９２】
したがって、本実施の形態に係る電磁波吸収緑化パネル５０を有料道路の設置面（例えば３分勾配から５分勾配のコンクリートによる擁壁）に設置することで、インテリジェント交通システム（ＩＴＳ）における有料道路の自動料金収受システム（ＥＴＣ）や道路上を走行する自動車の走行支援システム（ＡＨＳ）等が誤作動を発生することを効率的に防止できると同時に、設置面を緑化して良好な景観を形成できる（設置面に高付加価値を付与できる）。
【００９３】
さらに、本実施の形態に係る電磁波吸収緑化パネル５０を建築物（特に高層建築物）や土木構造物の設置面（例えば壁面や屋根）に設置することで、この設置面による電磁波の反射を効率的に防止できると同時に、この設置面を緑化して省エネルギー効果を得ることができる。
【００９４】
さらにまた、苗木や樹木がある既存の設置面でも、電磁波吸収緑化パネル５０を苗木や樹木が存在する部分において切り抜くことで、電磁波吸収緑化パネル５０を設置可能である。
【００９５】
さらに、設置面（屋根や擁壁を含む）が曲面である場合でも、この曲面に対応して電磁波吸収緑化パネル５０を湾曲させることで、電磁波吸収緑化パネル５０を設置可能である。
【００９６】
なお、本実施の形態では、押付網６０によって植生マット５２を電磁波吸収発熱材５８側へ押え付けることで植生マット５２を電磁波吸収発熱材５８に固定した構成としたが、マット固定手段として植生マットの裏面を電磁波吸収発熱材（電磁波吸収部材）に接着剤（例えばシリコーン系やエポキシ系のコーキング剤）で接着する（貼り付ける）ことで植生マットを電磁波吸収発熱材に固定した構成としてもよい。
【００９７】
さらに、電磁波吸収発熱材（電磁波吸収材）の表面（植生マット側側面）を粗い剣山の如く加工して電磁波吸収発熱材にマット固定手段としての係止体を突出させて設け、かつ、この係止体に植生マットを押し付けて係止体に植生マットを係止することで、植生マットを電磁波吸収発熱材に固定した構成としてもよい。この場合、マット固定手段として植生マットの裏面を電磁波吸収発熱材に接着することで植生マットを電磁波吸収発熱材に一層強固に固定することができる。
【００９８】
【発明の効果】
請求項１に記載の電磁波吸収法面では、傾斜した法面に電磁波が到来した際に、固定手段によって法面に固定された電磁波吸収体内の電磁波吸収材料が電磁波を吸収するため、法面に電磁波反射防止機能を付与することができる。さらに、固定手段たる立体ネットによって法面に電磁波吸収体が固定されるため、電磁波吸収体を法面に容易に固定することができる。
【００９９】
請求項２に記載の電磁波吸収法面では、傾斜した法面に電磁波が到来した際に、固定手段によって法面に固定された電磁波吸収体内の電磁波吸収材料が電磁波を吸収するため、法面に電磁波反射防止機能を付与することができる。さらに、固定手段が電磁波吸収体を法面に接着することで法面に電磁波吸収体が固定されるため、電磁波吸収体を法面に容易に固定することができる。
【０１００】
請求項３に記載の電磁波吸収法面では、電磁波吸収体内の電磁波吸収材料が電磁波を吸収すると発熱するため、植物の育成を促進することができる。さらに、植物が法面または法面上を根元にするため、植物が固定手段に係止されて法面から剥落することを防止できる。
【０１０１】
請求項４に記載の電磁波吸収法面では、傾斜した法面に電磁波が到来した際に、固定手段によって法面に固定された電磁波吸収体内の電磁波吸収材料が電磁波を吸収するため、法面に電磁波反射防止機能を付与することができる。さらに、固定手段たる突出体によって法面に電磁波吸収体が固定されるため、電磁波吸収体を法面に容易に固定することができる。また、電磁波吸収体内の電磁波吸収材料が電磁波を吸収すると発熱するため、植物の育成を促進することができる。さらに、植物が法面または法面上を根元にするため、植物が固定手段に係止されて法面から剥落することを防止できる。
【０１０２】
請求項５に記載の電磁波吸収法面では、保水材が植物の根元に配設されているため、植物に水分を安定供給することができ、植物の育成を一層促進することができる。
【０１０３】
請求項６に記載の電磁波吸収法面では、電磁波吸収体を透過等して反射材に到達した電磁波が再度電磁波吸収体へ向けて反射されるため、電磁波吸収体の電磁波吸収効率を向上できる。
【０１０４】
請求項７に記載の電磁波吸収法面では、傾斜した法面に電磁波が到来した際に、固定手段によって法面に固定された電磁波吸収体内の電磁波吸収材料が電磁波を吸収するため、法面に電磁波反射防止機能を付与することができる。さらに、固定手段たる突出体によって法面に電磁波吸収体が固定されるため、電磁波吸収体を法面に容易に固定することができる。また、電磁波吸収体を透過等して反射材に到達した電磁波が再度電磁波吸収体へ向けて反射されるため、電磁波吸収体の電磁波吸収効率を向上できる。
【０１０５】
請求項８に記載の電磁波吸収緑化パネルでは、マット固定手段によって植生マットが電磁波吸収材に固定されているため、電磁波吸収機能及び緑化機能を有することができる。
【０１０６】
請求項９に記載の電磁波吸収緑化パネルでは、押付網が植生マットを電磁波吸収材側へ押え付けるため、植生マットを電磁波吸収材に強固に固定できる。
【０１０７】
請求項１０に記載の電磁波吸収緑化パネルでは、植生マットの裏面が電磁波吸収部材に接着されるため、植生マットを電磁波吸収材に強固に固定できる。
【０１０８】
請求項１１に記載の電磁波吸収緑化パネルでは、電磁波吸収材に突出して設けられた係止体に植生マットが係止されるため、植生マットを電磁波吸収材に強固に固定できる。
【０１０９】
請求項１２に記載の電磁波吸収緑化パネルでは、電磁波吸収材が電磁波を吸収すると発熱するため、植物の育成を促進することができる。
【０１１０】
請求項１３に記載の電磁波吸収緑化パネルでは、電磁波吸収材を透過して反射材に到達した電磁波が再度電磁波吸収材へ向けて反射されるため、電磁波吸収材の電磁波吸収効率を向上できる。
【図面の簡単な説明】
【図１】本発明の第１の実施の形態に係る電磁波吸収発熱法面を示す表面側から見た斜視図である。
【図２】立体ネット及び電磁波吸収発熱体を示す裏面側から見た斜視図である。
【図３】植物が伸長した状態の立体ネットを示す表面側から見た斜視図である。
【図４】電磁波吸収発熱体を示す斜視図である。
【図５】電磁波吸収発熱体を示す断面図である。
【図６】電磁波吸収発熱体の被覆固体を示す断面図である。
【図７】本発明の第２の実施の形態に係る電磁波吸収発熱法面を示す側面図である。
【図８】本発明の第３の実施の形態に係る電磁波吸収発熱法面を示す側面図である。
【図９】本発明の第４の実施の形態に係る電磁波吸収緑化パネルを示す分解斜視図である。
【図１０】（Ａ）は、本発明の第４の実施の形態に係る縦１８００ｍｍ横９００ｍｍ厚さ２０ｍｍの電磁波吸収緑化パネルの設置面への設置状態を示す平面図であり、（Ｂ）は、本発明の第４の実施の形態に係る縦９００ｍｍ横９００ｍｍ厚さ２０ｍｍの電磁波吸収緑化パネルの設置面への設置状態を示す平面図である。
【符号の説明】
１０      電磁波吸収発熱法面（電磁波吸収法面）
１２      立体ネット（固定手段）
１４      電磁波吸収発熱体（電磁波吸収体）
１６      不織布（被覆材、保水材）
１８      コケ類（植物）
２６      電磁波吸収発熱材料（電磁波吸収材料）
２８      法面
３０      電磁波吸収発熱法面（電磁波吸収法面）
３２      柵（固定手段、突出体）
４０      電磁波吸収発熱法面（電磁波吸収法面）
５０      電磁波吸収緑化パネル
５２      植生マット
５４      植物
５８      電磁波吸収発熱材（電磁波吸収材）
６０      押付網（マット固定手段）
【図１】
0003814183.tif 000002
【図２】
0003814183.tif 000003
【図３】
0003814183.tif 000004
【図４】
0003814183.tif 000005
【図５】
0003814183.tif 000006
【図６】
0003814183.tif 000007
【図７】
0003814183.tif 000008
【図８】
0003814183.tif 000009
【図９】
0003814183.tif 000010
【図１０】
0003814183.tif 000011